Podtech/llm-jp-corpus-v4-ja_patent huggingface dataset:
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
第１部分パラメータに対応する基準値及び前記基準値に対応する差分値を用いて、前記第１部分パラメータを獲得し、
前記第１部分パラメータ及び第２部分パラメータを用いて、パラメータを決定することを特徴とする、信号処理方法。
【請求項２】
前記基準値は、パイロット基準値及び差分基準値のうちの一つであることを特徴とする、請求項１に記載の信号処理方法。
【請求項３】
前記第１部分パラメータは、前記パラメータの一部のビットであり、
前記第２部分パラメータは、前記パラメータの残りのビットであることを特徴とする、請求項１に記載の信号処理方法。
【請求項４】
前記第２部分パラメータは、前記パラメータの最下位ビットであることを特徴とする、請求項３に記載の信号処理方法。
【請求項５】
さらに前記決定されたパラメータを用いてオーディオ信号を復元することを特徴とする、請求項１に記載の信号処理方法。
【請求項６】
前記パラメータは、チャンネルレベル差（ＣＬＤ）、チャンネル間コヒーレンス（ＩＣＣ）、チャンネル予測係数（ＣＰＣ）及び利得値（ＡＤＧ）のうちの少なくとも一つを含む空間情報であることを特徴とする、請求項５に記載の信号処理方法。
【請求項７】
前記パラメータがＣＰＣであり、前記パラメータの量子化スケールが粗くない場合に、前記第２部分パラメータは獲得されることを特徴とする、請求項６に記載の信号処理方法。
【請求項８】
前記第１部分パラメータを２倍し、これを前記第２部分パラメータに加えて最終パラメータを決定することを特徴とする、請求項７に記載の信号処理方法。
【請求項９】
パラメータを第１部分パラメータと第２部分パラメータとに分割し、
前記第１部分パラメータに対応する基準値及び前記第１部分パラメータを用いて差分値を生成することを特徴とする、信号処理方法。
【請求項１０】
パラメータを第１部分パラメータと第２部分パラメータとに分割するパラメータ分割部と、
前記第１部分パラメータに対応する基準値及び前記第１部分パラメータを用いて差分値を生成する差分値生成部と、
を含むことを特徴とする、信号処理装置。
【請求項１１】
第１部分パラメータに対応する基準値及び前記基準値に対応する差分値を用いて、前記第１部分パラメータを獲得する第１パラメータ獲得部と、
前記第１部分パラメータ及び第２部分パラメータを用いて、パラメータを決定するパラメータ決定部と、
を有することを特徴とする、信号処理装置。
【請求項１２】
前記基準値は、パイロット基準値及び差分基準値のうちの一つであることを特徴とする、請求項１１に記載の信号処理装置。
【請求項１３】
前記第１部分パラメータは、前記パラメータの一部のビットであり、
前記第２部分パラメータは、前記パラメータの残りのビットであることを特徴とする、請求項１１に記載の信号処理装置。
【請求項１４】
前記第２部分パラメータは、前記パラメータの最下位ビットであることを特徴とする、請求項１３に記載の信号処理装置。
【請求項１５】
前記決定されたパラメータを用いてオーディオ信号を復元するマルチチャンネル生成部をさらに有することを特徴とする、請求項１１に記載の信号処理装置。
【請求項１６】
前記パラメータは、ＣＬＤ、ＩＣＣ、ＣＰＣ及びＡＤＧのうちの少なくとも一つを含む空間情報であることを特徴とする、請求項１５に記載の信号処理装置。
【請求項１７】
前記パラメータがＣＰＣであり、前記パラメータの量子化スケールが粗くない場合に、前記第２部分パラメータは獲得されることを特徴とする、請求項１６に記載の信号処理装置。
【請求項１８】
前記第１部分パラメータを２倍し、これを第２部分パラメータに加えて最終パラメータを決定することを特徴とする、請求項１７に記載の信号処理装置。
【請求項１９】
前記第２部分パラメータを受信することによって第２部分パラメータを獲得する第２パラメータ獲得部をさらに有することを特徴とする、請求項１１に記載の信号処理装置。
【手続補正２】
【補正対象書類名】明細書
【補正対象項目名】００１０
【補正方法】変更
【補正の内容】
【００１０】
上記の目的を達成するための、本発明の信号処理方法は、第１部分パラメータに対応する基準値及び前記基準値に対応する差分値を用いて、前記第１部分パラメータを獲得し、前記第１部分パラメータ及び第２部分パラメータを用いて、パラメータを決定する。また、前記基準値は、パイロット基準値及び差分基準値のうちの一つである。また、前記第１部分パラメータは、前記パラメータの一部のビットであり、前記第２部分パラメータは、前記パラメータの残りのビットである。前記第２部分パラメータは、前記パラメータの最下位ビットとなる。
【手続補正３】
【補正対象書類名】明細書
【補正対象項目名】００１１
【補正方法】変更
【補正の内容】
【００１１】
また、前記信号処理方法は、さらに前記決定されたパラメータを用いてオーディオ信号を復元する。前記パラメータは、ＣＬＤ、ＩＣＣ、ＣＰＣ及びＡＤＧのうちの少なくとも一つを含む空間情報である。
【手続補正４】
【補正対象書類名】明細書
【補正対象項目名】００１２
【補正方法】変更
【補正の内容】
【００１２】
また、前記パラメータがＣＰＣであり、前記パラメータの量子化スケールが粗くない場合に、前記第２部分パラメータは獲得される。また、前記第１部分パラメータを２倍し、これを前記第２部分パラメータに加えて最終パラメータを決定する。
【手続補正５】
【補正対象書類名】明細書
【補正対象項目名】００１３
【補正方法】変更
【補正の内容】
【００１３】
上記の目的を達成するための、本発明の信号処理装置は、第１部分パラメータに対応する基準値及びこの基準値に対応する差分値を用いて、前記第１部分パラメータを獲得する第１パラメータ獲得部と、前記第１部分パラメータ及び第２部分パラメータを用いて、パラメータを決定するパラメータ決定部と、を含む。また、前記信号処理装置は、前記第２部分パラメータを受信して獲得する第２パラメータ獲得部をさらに含む。前記第２パラメータ獲得部は、前記パラメータがＣＰＣであり、前記パラメータの量子化スケールが粗くない場合に、前記第２部分パラメータを獲得する。
【手続補正６】
【補正対象書類名】明細書
【補正対象項目名】００１４
【補正方法】変更
【補正の内容】
【００１４】
上記の目的を達成するための、本発明の信号処理方法は、パラメータを第１部分パラメータと第２部分パラメータとに分割し、前記第１部分パラメータに対応する基準値及び前記第１部分パラメータを用いて差分値を生成する。また、前記信号処理方法は、さらに前記差分値と前記第２部分パラメータを転送する。
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
第１及び第２の表面改質剤が結合されたシリカベースの表面
を含み、前記第１の表面改質剤には反応性部分が結合され、前記第２の表面改質剤には前記反応性部分が結合されず、
前記反応性部分が、５００００ｎｍ２当たり約１の反応性部分〜１００ｎｍ２当たり１の反応性部分の間の密度において前記表面に結合されるような前記第１及び第２の表面改質剤の比を有する前記第１及び第２の表面改質剤の混合物と前記シリカベースの表面とを接触させることにより、前記第１及び第２の表面改質剤が前記表面に結合される、基質。
【請求項２】
前記反応性部分が、８０００ｎｍ２当たり約１の反応性部分〜３００ｎｍ２当たり１の反応性部分の間の密度において前記表面に結合されるか、あるいは
前記反応性部分が、８０００ｎｍ２当たり約１の反応性部分〜１０００ｎｍ２当たり１の反応性部分の間の密度において前記表面に結合されるか、あるいは
前記反応性部分以外の前記表面の残部が実質的に非反応性の表面である、請求項１に記載の基質。
【請求項３】
前記反応性部分がリンカー基を介して前記表面に結合されるか、あるいは
前記反応性部分がポリマーを含んだリンカー基を介して前記表面に結合されるか、あるいは
前記反応性部分がポリエチレングリコールを含んだリンカー基を介して前記表面に結合されるか、あるいは
前記反応性部分以外の前記表面の残部が、実質的に非反応性の表面であり、かつ、前記反応性部分がリンカー基を介して前記表面に結合され、前記実質的に非反応性の表面が、前記反応性部分のない前記リンカー基を含む、請求項１に記載の基質。
【請求項４】
前記反応性部分が結合部分、
非特異的結合部分を含んだ結合部分、
特異的結合部分を含んだ結合部分、
特異的結合対の一方のメンバーを含んだ結合部分、又は
抗原、抗体、抗体の結合フラグメント、ポリヌクレオチド、結合ペプチド、ビオチン、アビジンおよびストレプトアビジンからなる群から選択される結合部分
を含む、請求項１に記載の基質。
【請求項５】
前記表面上の前記反応性部分が反応性基を含み、前記反応性基が、
触媒基、
触媒金属を含んだ触媒基、
酵素を含んだ触媒基、
核酸ポリメラーゼ、リガーゼ、ヌクレアーゼ、プロテアーゼ、キナーゼおよびホスファターゼから選択された酵素を含んだ触媒基、又は
ＤＮＡポリメラーゼを含む酵素を含んだ触媒基、
を含む反応性基を含む、請求項１に記載の基質。
【請求項６】
前記表面が観察領域、光閉じ込めの観察表面、又はゼロモード導波路の観察表面を含んだ観察領域を含む、請求項１に記載の基質。
【請求項７】
前記基質の前記表面がガラス、石英、溶融シリカ、およびケイ素から選択される、請求項１に記載の基質。
【請求項８】
少なくとも第１の観察領域が設けられたシリカベースの表面であって、前記観察領域が、約１００ｎｍ２〜５００００ｎｍ２の領域を有する、シリカベースの表面と、
前記シリカベースの表面を第１及び第２表面改質剤の混合物と接触させることにより前記表面に結合された前記第１及び第２表面改質剤であって、前記第１表面改質剤には反応性部分が結合し、前記第２表面改質剤には前記反応性部分が結合されず、前記第１及び第２表面改質剤の混合物において第２表面改質剤に対する第１表面改質剤の比が、１反応性部分〜３反応性部分が前記観察領域内の前記表面に結合するようなものである、前記第１及び第２表面改質剤と
を含む、基質。
【請求項９】
前記観察領域が、光学的に不透明なクラッディングによって境界を定められるか、あるいは
前記反応性部分が酵素を含むか、あるいは
前記反応性部分が、ＤＮＡポリメラーゼを含んだ酵素を含む、請求項８に記載の基質。
【請求項１０】
第１及び第２表面改質剤が結合されたシリカベースの表面を有する基質であって、前記第１表面改質剤には反応性部分が結合され、前記第２表面改質剤には前記反応性部分が結合されず、
前記反応性部分が１００ｎｍ２当たり１未満の反応性部分の密度において前記表面に結合されるような第２表面改質剤に対する第１表面改質剤の比を有する前記第１及び第２の表面改質剤の混合物と前記シリカベースの表面とを接触させることにより、前記第１及び第２の表面改質剤が前記表面に結合される、基質。
【請求項１１】
前記反応性部分が１０００ｎｍ２当たり１未満の反応性部分の密度において前記表面に結合されるか、あるいは前記反応性部分が１００００ｎｍ２当たり１未満の反応性部分の密度において前記表面に結合される、請求項１０に記載の基質。
【請求項１２】
前記反応性部分が、
結合基を含むか、あるいは
特異的結合基を含んだ結合基を含むか、あるいは
抗体、抗原、アビジン、ストレプトアビジン、ビオチン、ポリヌクレオチド、ポリヌクレオチド類似体、結合ペプチドから選択される特異的結合基を含んだ結合基を含む、請求項１０に記載の基質。
【手続補正書】
【提出日】平成21年9月15日(2009.9.15)
【手続補正１】
【補正対象書類名】明細書
【補正対象項目名】００６６
【補正方法】変更
【補正の内容】
【００６６】
このために、回路１２は調整器３６を備えており、および、この調整器の入力が復調器３２の出力に接続されており、かつ、この調整器の出力が磁界フィードバック巻線４０に接続されている。この調整器３６は、測定対象である磁界Ｈmを消去するのに適しているフィードバック磁界Ｈcを巻線４０が生じさせるように、巻線４０を制御することが可能である。
【手続補正２】
【補正対象書類名】明細書
【補正対象項目名】００７３
【補正方法】変更
【補正の内容】
【００７３】
図２に示されているように、磁心１０は、さらに、留め具１６の末端を本体１３に機械的に連結すると同時にこの留め具１６がその開放位置と閉鎖位置との間を移動することを可能にするためのヒンジ４１も備える。
【手続補正３】
【補正対象書類名】明細書
【補正対象項目名】００７４
【補正方法】変更
【補正の内容】
【００７４】
ヒンジ４１の反対側の、磁心１０は、留め具１６をその閉鎖位置に維持するのに適している閉鎖機構４４を備える。この機構４４は本体１３と留め具１６と一体状である。
【手続補正４】
【補正対象書類名】明細書
【補正対象項目名】００８５
【補正方法】変更
【補正の内容】
【００８５】
復調器３２は周波数Ｎ．Ｆ0の高調波の振幅を生じさせる。
【手続補正５】
【補正対象書類名】明細書
【補正対象項目名】００９４
【補正方法】変更
【補正の内容】
【００９４】
したがって、この実施形態では、ヒンジ４１のようなヒンジを備えることも、機構４４のような閉鎖機構を備えることも不要である。
【手続補正６】
【補正対象書類名】明細書
【補正対象項目名】００９８
【補正方法】変更
【補正の内容】
【００９８】
磁心６２は、さらに、磁心６２の内側で誘導された磁界を測定するためのコイル７０も含む。このコイル７０は、例えば、フィルタ３０と復調器３２とに連続的に接続されている。この復調器３２の出力は、測定される磁界の振幅を示している。
【手続補正７】
【補正対象書類名】図面
【補正対象項目名】図２
【補正方法】変更
【補正の内容】
【図２】
2009511868.tif 000001
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
試料受け入れチップであって、
試料流体を受け入れるために前記基板を貫通する流体経路を有する基板であって、該流体経路が、第１のポートと、少なくとも１つの第２のポートと、窪んだ流路とを含み、該窪んだ流路が基板中に封入される、基板と、
前記試料流体の特性を測定するために前記窪んだ流路中の前記試料流体に接触するように前記基板中に配置された少なくとも２つの電極と、
を含む、
試料受け入れチップ。
【請求項２】
前記基板がさらに、
ａ）  前記少なくとも２つの電極へのアクセスを提供する少なくとも２つの電極窓、および
ｂ）  接点に接続された前記少なくとも２つの電極、
の一方を含み、前記接点は、前記基板の外表面に配置されている、
請求項１に記載のチップ。
【請求項３】
前記基板が多層である、請求項１に記載のチップ。
【請求項４】
前記基板が、菫青石（コージライト）ベースのガラス・セラミックであり、前記少なくとも２つの電極が、銅、ニッケル、およびガラス・セラミックで共焼結される、請求項１に記載のチップ。
【請求項５】
前記試料流体が、３０ｎＬ未満の容量を有する、請求項１に記載のチップ。
【請求項６】
前記第１のポートが、前記試料流体を前記窪んだ流路に流し込み、前記少なくとも１つの第２のポートが、前記窪んだ流路をガス抜きする、請求項１に記載のチップ。
【請求項７】
前記チップが装置に結合されており、該装置は、ベース部材と、試料流体を受け入れるために前記ベース部材に固定された試料受け入れチップと、前記試料流体を前記試料受け入れチップ上に置くために前記ベース部材に固定された導管であって、第１の端部および第２の端部を含む導管と、を含む、請求項１に記載のチップ。
【請求項８】
オスモル濃度検査のための装置であって、
ベース部材と、
試料流体を受け入れるために前記ベース部材に固定された試料受け入れチップと、
前記試料流体を前記試料受け入れチップ上に置くために前記ベース部材に固定された導管であって、第１の端部および第２の端部を含む導管と、
を含む、
装置。
【請求項９】
毛細管容器をさらに含み、該毛細管容器が、
ベース・ユニットであって、前記導管を前記ベース・ユニットに固定するための留め具と、前記導管の前記第１の端部を受け入れるためのチャンバであって、実質的に可撓性の隔壁を含むチャンバと、を含むベース・ユニットと、
前記導管の前記第２の端部から前記試料流体を排出するためにチャンバ圧力を変更するために、前記実質的に可撓性の隔壁に外圧をかけるための機構と、
を含む、
請求項８に記載の装置。
【請求項１０】
前記試料受け入れチップが、
試料流体を受け入れるために前記基板を貫通する流体経路を有する基板であって、該流体経路が、第１のポートと、少なくとも１つの第２のポートと、窪んだ流路とを含み、該窪んだ流路が基板中に封入される基板と、
前記試料流体の特性を測定するために前記窪んだ流路中の前記試料流体に接触するように前記基板中に配置された少なくとも２つの電極と、
を含む、
請求項８に記載の装置。
【請求項１１】
前記基板がさらに、
ａ）  前記少なくとも２つの電極へのアクセスを提供する少なくとも２つの電極窓、および
ｂ）  接点に接続された前記少なくとも２つの電極、
の一方を含み、前記接点は、前記基板の外表面に配置されている、
請求項１０に記載の装置。
【請求項１２】
前記導管の前記第１の端部が試料流体を抽出し、前記導管の前記第２の端部が前記試料流体を前記試料受け入れチップ上に置く、請求項１０の装置。
【請求項１３】
前記ベース部材が、前記試料流体のオスモル濃度を決定するように構成された導電率測定回路をさらに含む、請求項８に記載の装置。
【請求項１４】
試料流体のオスモル濃度を決定するための方法であって、
ベース部材に固定された導管を通して試料流体を試料受け入れチップまで連通させるステップと、
前記試料流体のオスモル濃度を決定するステップと、
を含む、
方法。
【請求項１５】
前記試料受け入れチップが、
試料流体を受け入れるために前記基板を貫通する流体経路を有する基板であって、該流体経路が、第１のポートと、少なくとも１つの第２のポートと、窪んだ流路とを含み、該窪んだ流路が基板中に封入される、基板と、
前記試料流体の特性を測定するために前記窪んだ流路中の前記試料流体に接触するように前記基板中に配置された、多層セラミックで共焼結された少なくとも２つの電極と、
を含む、
請求項１４に記載の方法。
【請求項１６】
前記連通させるステップが、ベース・ユニットに外圧をかけるステップを含み、前記ベース・ユニットは、前記導管の第１の端部を受け入れるためのチャンバを含み、該チャンバは、実質的に可撓性の隔壁を含む、請求項１４に記載の方法。
【請求項１７】
前記試料流体の前記オスモル濃度を決定する前記ステップが、導電率値を得るために前記試料流体の前記導電率を測定するステップと、前記導電率を対応するオスモル濃度値に変換するステップと、を含む、請求項１４に記載の方法。
【請求項１８】
前記連通させるステップが、前記人間の眼球上の体液の生体内試料と接触させるステップを含み、前記試料流体は、毛管力により前記導管内に引き込まれる、請求項１４に記載の方法。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
有機化合物の定量化方法において、
（ａ）クロマトグラフィによってサンプル中の化合物を分離し、
（ｂ）（ａ）で分離された化合物を炭素−１３で豊富にされた非特定トレーサ（追跡子）と連続的に混合させ、
（ｃ）（ｂ）で混合された化合物とトレーサをＣＯ2を発生させるように化学的に反応させ、
（ｄ）質量分析計によって（ｃ）で発生させた12Ｃ／13Ｃの同位体比率を測定し、
（ｅ）12Ｃ／13Ｃ同位体比率クロマトグラムをオンライン同位体希釈等式によって炭素質量の流れクロマトグラムに変換することを特徴とする有機化合物の定量化方法。
【請求項２】
前記トレーサが炭素無機化合物であることを特徴とする請求項１に記載の有機化合物用の定量化方法。
【請求項３】
前記無機トレーサがＣＯ2であることを特徴とする請求項２に記載の有機化合物の定量化方法。
【請求項４】
前記トレーサが炭素−１３で豊富にされたＣＯ2である場合に、（ａ）において分離された化合物の化学反応に続いて、前記トレーサとの混合が実施されることを特徴とする請求項１乃至３のいずれか１項に記載の有機化合物の定量化方法。
【請求項５】
前記トレーサが炭酸ナトリウムであることを特徴とする請求項２に記載の有機化合物の定量化方法。
【請求項６】
前記トレーサがメタンであることを特徴とする請求項１に記載の有機化合物の定量化方法。
【請求項７】
前記分離が液体クロマトグラフィ又はガスクロマトグラフィによって実施されることを特徴とする請求項１乃至６のいずれか１項に記載の有機化合物の定量化方法。
【請求項８】
12Ｃ／13Ｃ同位体比率が直接測定されることを特徴とする請求項１乃至７のいずれか１項に記載の有機化合物の定量化方法。
【請求項９】
同位体比率が12Ｃおよび13Ｃから引き出されたイオンによって測定されることを特徴とする請求項１乃至８のいずれか１項に記載の有機化合物の定量化方法。
【請求項１０】
12Ｃ／13Ｃ比率から引き出されたイオンがそれぞれ質量４４及び４５を有するＣＯ2+であることを特徴とする請求項９に記載の有機化合物の定量化方法。
【請求項１１】
前記質量分析計のイオン化源が電子衝突イオン化源であることを特徴とする請求項１乃至１０のいずれか１項に記載の有機化合物の定量化方法。
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
船舶用２ストロークディーゼルエンジンを潤滑する方法であって、
（１）前記エンジンの性能特性を監視する手順；
（２）前記エンジンの前記性能特性を改変する潤滑組成物を選択する手順であって、前記潤滑組成物が：
（ｉ）１つ以上の過塩基性清浄剤が含まれる添加剤パッケージ、及び場合によりその他の機能添加剤を含む第一の液体；
（ｉｉ）１つ以上の中性清浄剤又は過塩基性清浄剤が含まれる添加剤パッケージ、及び場合によりその他の機能添加剤を含む第二の液体であるが、但し、前記第一の液体が有するΣ（過塩基性清浄剤の重量％）／Σ（前記液体中の全添加剤の重量％）の比率が、前記第二の液体の比率を上回ることを条件とする、第二の液体；及び
（ｉｉｉ）潤滑粘度の油を含む第三の液体であって、前記潤滑粘度の油が、新しいシステム油、使用済みのシステム油、又はこれらの混合物である、第三の液体、
からなる群から選択される少なくとも２種類の液体をｉｎ  ｓｉｔｕ制御により混合することによって調製される、手順；ならびに
（３）手順（２）の潤滑組成物を前記エンジンに供給する手順であるが、但し、前記潤滑組成物が前記第一の液体又は前記第二の液体の少なくとも１つと、前記第三の液体とを含むことを条件とする、手順、
を含む方法。
【請求項２】
前記潤滑組成物のＴＢＮが２０〜１００である、請求項１に記載の方法。
【請求項３】
前記性能特性が燃料の硫黄含有量又は潤滑剤のＴＢＮを含む、請求項１に記載の方法。
【請求項４】
前記船舶用２ストロークディーゼルエンジンが、０．６５〜１．３ｇ／ｋｗ・時の潤滑剤供給速度を有する、請求項１に記載の方法。
【請求項５】
前記潤滑組成物が、２〜８種類又は３〜４種類の液体をｉｎ  ｓｉｔｕ制御により混合することによって調製される、請求項１に記載の方法。
【請求項６】
液体（ｉ）の前記過塩基性清浄剤が、少なくとも２００のＴＢＮを有する、請求項１に記載の方法。
【請求項７】
前記中性清浄剤が２００未満のＴＢＮを有する、請求項１に記載の方法。
【請求項８】
前記中性清浄剤又は過塩基性清浄剤が、サリチル酸塩、サリキサレート、スルホン酸塩、石炭酸塩、又は混合基質清浄剤を含む、請求項１に記載の方法。
【請求項９】
前記第一の液体が、ＴＢＮが少なくとも３００の過塩基性スルホン酸塩清浄剤を含み、前記第二の液体が、ＴＢＮが２００未満の石炭酸塩洗浄剤を含む、請求項１に記載の方法。
【請求項１０】
前記第一及び第二の両液体のΣ（過塩基性清浄剤の重量％）／Σ（前記液体中の全添加剤の重量％）の比率が０ではない、請求項１に記載の方法。
【請求項１１】
船舶用２ストロークディーゼルエンジンを潤滑する方法であって、
（１）前記エンジンの性能特性を監視する手順；
（２）前記エンジンの前記性能特性を改変する潤滑組成物を選択する手順であって、前記潤滑組成物が：
（ｉ）１つ以上の過塩基性清浄剤が含まれる添加剤パッケージ、及び場合によりその他の機能添加剤を含む第一の液体；
（ｉｉ）１つ以上の中性清浄剤又は過塩基性清浄剤が含まれる添加剤パッケージ、及び場合によりその他の機能添加剤を含む第二の液体であるが、但し、前記第一の液体が有するΣ（過塩基性清浄剤の重量％）／Σ（前記液体中の全添加剤の重量％）の比率が、前記第二の液体の比率を上回ることを条件とする、第二の液体；及び
（ｉｉｉ）潤滑粘度の油を含む第三の液体、
を含む少なくとも３種類の異なる液体をｉｎ  ｓｉｔｕ制御により混合することによって調製される、手順；ならびに
（３）手順（２）の潤滑組成物を前記エンジンに供給する手順、
を含む方法。
【手続補正書】
【提出日】平成21年9月9日(2009.9.9)
【手続補正１】
【補正対象書類名】特許請求の範囲
【補正対象項目名】請求項３
【補正方法】変更
【補正の内容】
【請求項３】
方法が更に、ウイルス粒子(110)の回転を、ウイルス粒子の変形に先立ち現わす工程を備える、請求項２に従う方法。
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
家禽処理水の現場での再生、再調整、および再使用ためのシステム、該システムは洗浄装置に接続可能であり、該システムは、
（ａ）該洗浄装置から出る該処理水を集めるための第１容器；
（ｂ）該第１容器中に集められた該処理水からくずをろ過するためのフィルター；
（ｃ）該処理水からろ過された該くずを除去するための流路；
（ｄ）抗菌溶液および水を該フィルター上に噴霧するためのディスペンサー；
（ｅ）該ろ過された処理水、抗菌溶液、および該フィルターを通過した水を集めるための第２容器；
（ｆ）該洗浄装置および該システムを通して該処理水を循環させるための配管；および
（ｇ）該配管を通して該処理水を循環させるための複数のポンプ
を含んで成る。
【請求項２】
該フィルターが、複数の平行なくさび型ワイヤーを含むロータリーシリンダーフィルターであり、該複数のワイヤーが互いに０．０２５ｍｍ〜０．２５ｍｍ（０.００１〜０.０１０インチ）の間隙で離れている、請求項１のシステム。
【請求項３】
該流量制御メカニズムが、該第２容器中の該ろ過された処理水の５％〜５０％を、該第２容器のオーバーフロー出口を通して吐き出す、請求項１のシステム。
【請求項４】
該ろ過された処理水が、該洗浄装置に戻る前に０.５〜１０分間該第２容器中に留まる、請求項１のシステム。
【請求項５】
家禽処理水の現場での再生、再調整、および再適用ための方法、該方法は
（ａ）洗浄装置から第１容器に処理水を集めること；
（ｂ）該第１容器からろ過装置へ該処理水をポンプで送ること；
（ｃ）該処理水を該ろ過装置の上に吐き出すこと；
（ｄ）ろ液を得るために、該処理水から廃棄物をろ過すること；
（ｅ）抗菌溶液および水を該ろ過装置の上に噴霧すること；
（ｆ）該処理水から廃棄物容器に該廃棄物を輸送すること；
（ｇ）該ろ液および抗菌溶液を第２容器に集めること；
（ｈ）該第２容器から該廃棄物容器に該ろ液の一部分を吐き出すこと；
（ｉ）該ろ液を該洗浄装置にポンプで送り戻すこと；および
（ｊ）該家禽を該ろ液で噴霧すること
を含んで成る。
【請求項６】
廃棄物をろ過することが、縦・横・奥行きおいて０．０２５ｍｍ〜０．２５ｍｍ（０.００１〜０.０１０インチ）より大きい廃棄物を除去することを含む、請求項５の方法。
【請求項７】
水を該ろ過装置の上に噴霧することが、該ろ過装置から３０．５ｃｍ（１２インチ）離れて測定した場合に、２．７Ｎ〜２７Ｎ（０.６〜６重量ポンド）の間の力で、５分〜５時間ごとに１０〜６０秒間水を噴霧すること、および該ろ過装置から３０．５ｃｍ（１２インチ）離れて測定した場合に、０．４４Ｎ〜２．２Ｎ（０.１〜０.５重量ポンド）の間の力で、該水を絶えず噴霧することを含む、請求項５の方法。
【請求項８】
該ろ過装置の上に噴霧される該抗菌溶液が、酢酸、オクタン酸、過酸化水素、ペルオキシ酢酸、ペルオキシオクタン酸、または１−ヒドロキシエチリデン−１,１−ジホスホン酸を含んでなるペルオキシ酸溶液である、請求項５の方法。
【手続補正書】
【提出日】平成21年10月1日(2009.10.1)
【手続補正１】
【補正対象書類名】明細書
【補正対象項目名】００１６
【補正方法】変更
【補正の内容】
【００１６】
本発明は、さらに、ｃＭＡＣ関連障害の処置に有用な化合物を同定するためのスクリーニングアッセイ方法であって、(ａ)試験化合物とｃＭＡＣを接触させ；および(ｂ)試験化合物と接触させていないｃＭＡＣと比較したｃＭＡＣの生物学的活性の変化を検出することを含む、方法を含む(ここで変化の検出が、該障害の処置のために有用であるとして該試験化合物を同定する)。同様に、本発明は、ｃＭＡＣ関連障害の処置に有用な化合物を同定するためのスクリーニングアッセイ方法であって：(ａ)試験化合物とｃＭＡＣをｃＭＡＣ生物学的活性を許容するサンプル条件下で接触させ；(ｂ)ｃＭＡＣ生物学的活性のレベルを測定し；(ｃ)該レベルを、該試験化合物を各コントロールサンプルのレベルと比較し；そして、(ｄ)該障害の処置に有用な可能性のある薬剤としてのさらなる試験のために、該レベルの変化をもたらす試験化合物を選択することを含む、方法を含む。本発明は、化合物がｃＭＡＣ生物学的活性を調節するか否かを試験する方法であって：(ａ)試験化合物とｃＭＡＣを接触させ；および(ｂ)試験化合物と接触させていないｃＭＡＣと比較したｃＭＡＣの生物学的活性の変化を検出することを含む、方法を含む(ここで、変化の検出が、ｃＭＡＣ生物学的活性のモジュレーターとして該試験化合物を同定する)。同様に、本発明は、障害の処置に有用なモジュレーターを同定する方法であって、候補モジュレーターがｃＭＡＣタンパク質の活性を阻害する能力についてアッセイすることを含む、方法；および障害の処置に有用なモジュレーターを同定する方法であって、候補モジュレーターがｃＭＡＣタンパク質の発現を阻害する能力についてアッセイすることを含む、方法を含む。
【手続補正２】
【補正対象書類名】明細書
【補正対象項目名】００５５
【補正方法】変更
【補正の内容】
【００５５】
参照ヌクレオチド配列に“実質的に類似”のヌクレオチド配列は、参照ヌクレオチド配列に７％ドデシル硫酸ナトリウム(ＳＤＳ)、０.５Ｍ  ＮａＰＯ４、１mM  ＥＤＴＡ中、５０℃と２×ＳＳＣ、０.１％ＳＤＳで５０℃の洗浄で、より望ましくは７％ドデシル硫酸ナトリウム(ＳＤＳ)、０.５Ｍ  ＮａＰＯ４、１mM  ＥＤＴＡ中、５０℃と１×ＳＳＣ、０.１％ＳＤＳで５０℃の洗浄で、さらに望ましくは７％ドデシル硫酸ナトリウム(ＳＤＳ)、０.５Ｍ  ＮａＰＯ４、１mM  ＥＤＴＡ中、５０℃と０.５×ＳＳＣ、０.１％ＳＤＳで５０℃の洗浄で、好ましくは７％ドデシル硫酸ナトリウム(ＳＤＳ)、０.５Ｍ  ＮａＰＯ４、１mM  ＥＤＴＡ中、５０℃と０.１×ＳＳＣ、０.１％ＳＤＳで５０℃の洗浄で、より好ましくは７％ドデシル硫酸ナトリウム(ＳＤＳ)、０.５Ｍ  ＮａＰＯ４、１mM  ＥＤＴＡ中、５０℃と０.１×ＳＳＣ、０.１％ＳＤＳで６５℃の洗浄でハイブリダイズし、なおさらに機能的に同等な遺伝子産物をコードする。一般に、ハイブリダイゼーション条件は、高度にストリンジェントまたはあまり高度でないストリンジェントであり得る。核酸分子がデオキシオリゴヌクレオチド(“オリゴ”)であるとき、高度にストリンジェント条件は、例えば、６×ＳＳＣ／０.０５％ピロリン酸ナトリウムで３７℃(１４塩基オリゴについて)、４８℃(１７塩基オリゴについて)、５５℃(２０塩基オリゴについて)、および６０℃(２３塩基オリゴについて)での洗浄を意味し得る。種々の組成の核酸についてのこのようなストリンジェンシー条件の適当な範囲は、上記に引用のKrause and Aaronson (1991), Methods in Enzymology, 200:546-556 in addition to Maniatis et alに記載されている。
【手続補正３】
【補正対象書類名】明細書
【補正対象項目名】０１６４
【補正方法】変更
【補正の内容】
【０１６４】
最も一般的に使用されるレポーター分子は、酵素、フルオロフォア−または放射性核種含有分子のいずれかである。酵素免疫アッセイの場合、酵素が、通常グルタルアルデヒドまたはペリオデートの手段で第二抗体に結合する。容易に認識される通り、しかしながら、広範な種々のライゲーション技術が存在し、それらは当業者に既知である。一般的に使用される酵素は、とりわけホースラディッシュペルオキシダーゼ、グルコースオキシダーゼ、ベータ−ガラクトシダーゼおよびアルカリホスファターゼである。特異的酵素と共に使用する基質は、一般に対応酵素での加水分解により、検出可能な色変化を産生するように選択する。例えば、ｐ−ニトロフェニルホスフェートは、アルカリホスファターゼコンジュゲートとの使用に適する；ペルオキシダーゼコンジュゲートについて、１,２−フェニレンジアミンまたはトルイジンが一般的に使用される。上記の発色性支持体よりむしろ蛍光産物を生じる蛍光性基質を用いることも可能である。次いで、適当な基質を含む溶液を、３成分複合体に添加する。基質が第二抗体と結合した酵素と反応し、定質的可視シグナルを発し、それは、通常分光光度法でさらに定量でき、血清サンプルに存在する目的のポリペプチドまたはポリペプチドフラグメントの量の評価を与える。
【手続補正４】
【補正対象書類名】明細書
【補正対象項目名】０２２１
【補正方法】変更
【補正の内容】
【０２２１】
治療的有効量は、目的の特定の病理学的状態の予防、処置または軽減に有用な活性成分の量を意味する。治療効果および毒性、例えば、ＥＤ５０(集団の５０％で治療的に有効な量)およびＬＤ５０(集団の５０％に致死的な量)を、細胞培養または実験動物における標準薬務により決定できる。毒性および治療効果の間の用量比が治療指数であり、そしてそれは、比率、ＬＤ５０／ＥＤ５０として示すことができる。大きな治療指数を示す医薬組成物が好ましい。細胞培養アッセイおよび動物試験から得たデータをヒト使用のための投与量の範囲の計算に使用する。このような組成物に含まれる用量は、好ましくは、毒性がわずかしかないまたは全くなく、ＥＤ５０を含む循環濃度の範囲内である。投与量は、この範囲内で、用いる投与形態、患者の感受性および投与経路に依存して変わる。
【手続補正５】
【補正対象書類名】明細書
【補正対象項目名】０２２４
【補正方法】変更
【補正の内容】
【０２２４】
ここでは、ｃＭＡＣレベルまたは活性のモニタリングおよび／またはｃＭＡＣ発現(ｍＲＮＡレベル)検出を、例えば、ある処置レジメンの効果を決定するための臨床試験法の一部として使用し得ることを意図する。例えば、薬剤が投与されている患者を評価し、医師は、ｃＭＡＣレベル、活性および／または発現レベルが所望値より高い(すなわち関連疾患状態を経験していないコントロール患者または臨床的介入により疾患状態が十分に軽減されている患者におけるレベルより高いまたは低いレベルである)患者を同定できる。これらのデータに基づいて、その後医師は投与量、投与レジメンまたは処方する薬のタイプを調節できる。
【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
シンナモイルＣｏＡレダクターゼをコードするコード配列を有する、コーヒー（コーヒー種（Ｃｏｆｆｅａ  ｓｐｐ．））から単離された核酸分子。
【請求項２】
コード配列が、配列番号１９又は配列番号２０を含むアミノ酸配列を有するシンナモイルＣｏＡレダクターゼをコードする、請求項１に記載の核酸分子。
【請求項３】
コード配列が、配列番号５又は配列番号６を含む、請求項２に記載の核酸分子。
【請求項４】
コード配列が遺伝子のオープンリーディングフレームである、請求項２又は３に記載の核酸分子。
【請求項５】
請求項４に記載の遺伝子の転写によって作製されたｍＲＮＡ分子。
【請求項６】
請求項５に記載のｍＲＮＡ分子の逆転写によって作製されたｃＤＮＡ分子。
【請求項７】
請求項２又は３に記載の核酸分子のコード配列を含むベクター。
【請求項８】
プラスミド、ファージミド、コスミド、バキュロウイルス、バクミド、細菌、酵母及びウイルスベクターからなるベクターの群から選択される発現ベクターである、請求項７に記載のベクター。
【請求項９】
核酸分子のコード配列が構成的プロモーターと作動的に連結している、請求項７に記載のベクター。
【請求項１０】
核酸分子のコード配列が誘導性プロモーターと作動的に連結している、請求項７に記載のベクター。
【請求項１１】
核酸分子のコード配列が組織特異的プロモーターと作動的に連結している、請求項７に記載のベクター。
【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
インフルエンザＶＬＰを含むワクチンであって、前記ＶＬＰに、インフルエンザＭ１、ＨＡ、およびＮＡタンパク質が含まれており、前記ワクチンがインフルエンザに感受性のヒトにおいてインフルエンザウイルス感染に対する実質的な免疫力を誘導する、ワクチン。
【請求項２】
前記ＨＡおよびＮＡタンパク質は、季節的なインフルエンザウイルスに由来する、請求項１に記載のワクチン。
【請求項３】
前記季節的なインフルエンザウイルスは、Ａ型インフルエンザウイルスである、請求項２に記載のワクチン。
【請求項４】
前記季節的なインフルエンザウイルスは、Ｂ型インフルエンザウイルスである、請求項２に記載のワクチン。
【請求項５】
前記ＨＡおよびＮＡタンパク質は、トリインフルエンザウイルスに由来する、請求項１に記載のワクチン。
【請求項６】
前記トリインフルエンザウイルスはＨ５Ｎ１である、請求項５に記載のワクチン。
【請求項７】
前記トリインフルエンザウイルスはＨ９Ｎ２である、請求項５に記載のワクチン。
【請求項８】
前記Ｍ１タンパク質は、前記ＨＡおよびＮＡタンパク質と比較して異なるインフルエンザウイルス株に由来する、請求項１に記載のワクチン。
【請求項９】
前記Ｍ１タンパク質は、トリインフルエンザウイルスに由来する、請求項１に記載のワクチン。
【請求項１０】
前記ＨＡおよびＮＡタンパク質は、季節的なインフルエンザウイルスに由来する、請求項９に記載のワクチン。
【請求項１１】
前記季節的なインフルエンザウイルスは、Ａ型インフルエンザウイルスである、請求項１０に記載のワクチン。
【請求項１２】
前記季節的なインフルエンザウイルスは、Ｂ型インフルエンザウイルスである、請求項１０に記載のワクチン。
【請求項１３】
前記ＨＡおよびＮＡタンパク質は、トリインフルエンザウイルスに由来する、請求項９に記載のワクチン。
【請求項１４】
前記トリインフルエンザウイルスはＨ５Ｎ１である、請求項１３に記載のワクチン。
【請求項１５】
前記トリインフルエンザウイルスはＨ９Ｎ２である、請求項１３に記載のワクチン。
【請求項１６】
前記ＨＡおよび／またはＮＡはそれぞれ、ヘマグルチニン活性および／またはノイラミニダーゼ活性を示す、請求項１に記載のワクチン。
【請求項１７】
前記インフルエンザＶＬＰは、アジュバントまたは免疫促進剤とともに処方される、請求項１に記載のワクチン。
【請求項１８】
前記アジュバントがＮｏｖａｓｏｍｅｓ（登録商標）を含む、請求項１７に記載のワクチン。
【請求項１９】
インフルエンザＶＬＰを含むワクチンであって、前記ＶＬＰは、原則として、インフルエンザＭ１、ＨＡ、およびＮＡタンパク質からなり、前記ワクチンがインフルエンザに感受性のヒトにおいてインフルエンザウイルス感染に対する実質的な免疫力を誘導する、ワクチン。
【請求項２０】
前記ＨＡおよびＮＡタンパク質は、季節的なインフルエンザウイルスに由来する、請求項１９に記載のワクチン。
【請求項２１】
前記ＨＡおよびＮＡタンパク質は、トリインフルエンザウイルスＨＡおよびＮＡタンパク質である、請求項１９に記載のワクチン。
【請求項２２】
前記Ｍ１タンパク質は、前記ＨＡおよびＮＡタンパク質と比較して異なるインフルエンザウイルス株に由来する、請求項１９に記載のワクチン。
【請求項２３】
前記Ｍ１タンパク質は、トリインフルエンザウイルスに由来する、請求項１９に記載のワクチン。
【請求項２４】
前記ＨＡおよびＮＡタンパク質は、季節的なインフルエンザウイルスのＨＡおよびＮＡタンパク質である、請求項２３に記載のワクチン。
【請求項２５】
前記ＨＡおよびＮＡタンパク質は、トリインフルエンザウイルスＨＡおよびＮＡタンパク質である、請求項２３に記載のワクチン。
【請求項２６】
インフルエンザに感受性のヒトにおいて実質的な免疫力を誘導するための組成物であって、請求項１〜２５のいずれか１項に記載のワクチンの有効用量を含む、組成物。
【請求項２７】
前記組成物は、経口で、皮内に、鼻腔内に、筋肉内に、腹腔内に、静脈内に、または皮下に投与されることを特徴とする、請求項２６に記載の組成物。
【請求項２８】
ワクチンの調製のためのインフルエンザＶＬＰの使用であって、前記ＶＬＰは、インフルエンザＭ１、ＨＡ、およびＮＡタンパク質を含み、前記ワクチンがインフルエンザに感受性のヒトにおいてインフルエンザウイルス感染に対する実質的な免疫力を誘導する、使用。
【請求項２９】
ワクチンの調製のためのインフルエンザＶＬＰの使用であって、前記ＶＬＰが原則として、インフルエンザＭ１、ＨＡ、およびＮＡタンパク質からなり、前記ワクチンがインフルエンザに感受性のヒトにおいてインフルエンザウイルス感染に対する実質的な免疫力を誘導する、使用。
【請求項３０】
ワクチンの調製のためのインフルエンザＶＬＰの使用であって、前記ＶＬＰがインフルエンザＭ１、ＨＡ、およびＮＡタンパク質からなり、前記ワクチンがインフルエンザに感受性のヒトにおいてインフルエンザウイルス感染に対する実質的な免疫力を誘導する、使用。
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
式（Ｉ）で表される少なくとも１つの化合物、またはその塩のフレーバーとしての使用、
【化１】
2009511030.tif 000001
式中、基Ｒ１およびＲ２は以下のように選択される：
Ｒ１は−ＣＨ２ＳＨ、−ＣＨ２ＣＨ２ＳＨ、−ＣＨ２ＣＨ２ＣＨ２ＳＨ、−ＣＨ２ＳＣＨ３、−ＣＨ２ＣＨ２ＳＣＨ３、および−ＣＨ２ＣＨ２ＣＨ２ＳＣＨ３、−ＣＨ２−Ｓ−ＣＨ２ＣＨ（ＮＨ２）−ＣＯＯＨ、および−ＣＨ２−Ｓ−Ｓ−ＣＨ２ＣＨ（ＮＨ２）−ＣＯＯＨからなる群から選択される基であり；
Ｒ２はγ−Ｇｌｕ（−ＣＯ−ＣＨ２−ＣＨ２−ＣＨ（ＮＨ２）−ＣＯＯＨ）、およびβ−Ａｓｐ（−ＣＯ−ＣＨ２−ＣＨ（ＮＨ２）−ＣＯＯＨ）の基の群から選択される基であり、
および式中、Ｒ１が硫黄を含む場合、該化合物は硫化物、あるいは、２つのＲ１基中のスルフィド基を介して結合する式Ｉで表される２つの異なるまたは同一の化合物で形成される二硫化物である。
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
血栓塞栓性又は冠状動脈性心疾患のin vitro診断の方法であって、人の試料の、ヒトＥＧＬＮ２蛋白質をコードする核酸の４７０位のヌクレオチド又はヒトＥＧＬＮ２蛋白質の５８位のアミノ酸が決定される方法。
【請求項２】
血栓塞栓性疾患が、脳卒中、遷延性可逆性虚血性神経症候（ＰＲＩＮＤ）及び一過性虚血性発作（ＴＩＡ）からなるグループから選ばれる、請求項１に記載の方法。
【請求項３】
冠状動脈性心疾患が心筋梗塞である、請求項１に記載の方法。
【請求項４】
脳卒中、ＰＲＩＮＤ又はＴＩＡのリスクに対して、４７０位のヌクレオチドが染色体ＤＮＡ中のチミジン若しくはｍＲＮＡ中のウラシルと決定され、又は５８位のアミノ酸がロイシンと決定される、請求項２に記載の方法。
【請求項５】
心筋梗塞、特に早期心筋梗塞のリスクに対して、４７０位のヌクレオチドがシチジンと決定され、又は５８位のアミノ酸がセリンと決定される、請求項３に記載の方法。
【請求項６】
ヒトＥＧＬＮ２蛋白質をコードする核酸が配列番号１のヌクレオチド配列を有する、請求項１〜５のいずれか１項に記載の方法。
【請求項７】
ヒトＥＧＬＮ２蛋白質が配列番号２のアミノ酸配列を有する、請求項１〜５のいずれか１項に記載の方法。
【請求項８】
４７０位のヌクレオチドが、核酸配列決定法、核酸の質量分光分析、ハイブリダイゼーション法及び増幅法からなるグループから選ばれる方法によって決定される、請求項１〜４及び６のいずれか１項に記載の方法。
【請求項９】
核酸配列決定法が、ピロ配列決定、及び放射性若しくは蛍光標識ヌクレオチドを用いる配列決定から選ばれるグループから選択される、請求項８に記載の方法。
【請求項１０】
ハイブリダイゼーション法が、サザンブロット解析、ノーザンブロット解析及びＤＮＡマイクロアレイによるハイブリダイゼーション法からなるグループから選択される、請求項８に記載の方法。
【請求項１１】
増幅法が、TaqMan解析、差次的ＲＮＡ発現分析及び発現差異分析からなるグループから選択される、請求項８に記載の方法。
【請求項１２】
５８位のアミノ酸配列が、特定の蛋白質の量を測定する方法及び特定の蛋白質の活性を測定する方法からなるグループから選択される方法によって決定される、請求項１、５及び７のいずれか１項に記載の方法。
【請求項１３】
特定の蛋白質の量が、ウェスタンブロット解析及びＥＬＩＳＡからなるグループから選ばれる方法によって測定される、請求項１２に記載の方法。
【請求項１４】
特定の蛋白質の活性が、ヒト細胞、動物細胞、細菌細胞又は酵母細胞を用いてin vitro試験法又はin vitro全細胞試験法によって測定される、請求項１２に記載の方法。
【請求項１５】
試料が、細胞、組織及び体液からなるグループから選択される、請求項１〜１４のいずれか１項に記載の方法。
【請求項１６】
更なる工程において、血栓塞栓性又は冠状動脈性心疾患に罹患する人のリスクが決定される、請求項１〜１５のいずれか１項に記載の方法。
【請求項１７】
更なる工程において薬剤の投与量が決定される、請求項１〜１５のいずれか１項に記載の方法。
【請求項１８】
以下の工程：
（ａ）検査すべき人から取得した試料から核酸プローブ、特にＤＮＡプローブを単離し；
（ｂ）プライマーを用いてＥＧＬＮ２遺伝子の４７０位を包含する特定の領域を増幅し；
（ｃ）増幅した領域の配列を決定し；
（ｄ）配列決定した領域を解析し；そして
（ｅ）血栓塞栓性又は冠状動脈性心疾患、特に心筋梗塞、発作、ＰＲＩＮＤ、ＴＩＡ及び冠状動脈疾患のリスクを評価する；
を含む、請求項１〜１７のいずれか１項に記載の方法。
【請求項１９】
心筋梗塞が早期心筋梗塞である、請求項１８に記載の方法。
【請求項２０】
プライマーが配列番号３又は配列番号４から選択される、請求項１８又は１９に記載の方法。
【請求項２１】
以下の工程：
（ａ）検査すべき人又は患者から取得した細胞、組織、体液、血液の細胞成分、内皮細胞又は平滑筋細胞の試料からＥＧＬＮ２蛋白質を単離し；
（ｂ）ＥＧＬＮ２蛋白質の５８位のアミノ酸を決定し；そして
（ｃ）血栓塞栓性又は冠状動脈性心疾患、特に早期心筋梗塞、発作、ＰＲＩＮＤ、ＴＩＡ及び冠状動脈疾患のリスクを評価する；
を含む、請求項１〜３、５、７又は１２〜１７のいずれか１項に記載の方法。
【請求項２２】
心筋梗塞が早期心筋梗塞である、請求項２０に記載の方法。
【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
バイオメトリック評価のために提示される試料の真性を評価する方法であって、
複数の異なる光学条件下で該試料を照明するステップと、
該複数の異なる光学条件のそれぞれに対する該試料から散乱される光を受光するステップと、
複数の画像を形成するステップであって、それぞれの画像は、該複数の異なる光学条件のうちのそれぞれに対する該受光された光から形成される、ステップと、
複数の質感度を生成するステップであって、それぞれの質感度は、該複数の画像のうちのそれぞれから生成される、ステップと、
該生成された複数の質感度が、本物の隠されていない生物組織である該試料と一致するかどうかを判断するステップと
を含む、方法。
【請求項２】
前記質感度は、画像コントラスト度を備える、請求項１に記載の方法。
【請求項３】
前記複数の質感度を生成するステップは、前記複数の画像のそれぞれの空間移動窓法分析を行うステップを含む、請求項１に記載の方法。
【請求項４】
複数の異なる光学条件下で前記試料を照明するステップは、前記試料を複数の異なる波長を有する光で照明するステップを含み、
前記生成された複数の質感度が、隠されていない生物組織である試料と一致するかどうかを判断するステップは、赤色照明下の画像コントラストが青色照明下の画像コントラストより低いことを確認するステップを含む、請求項３に記載の方法。
【請求項５】
複数の異なる光学条件下で前記試料を照明するステップは、前記試料を複数の異なる波長を有する光で照明するステップを含み、
前記生成された複数の質感度が、隠されていない生物組織である試料と一致するかどうかを判断するステップは、赤色照明下の画像コントラストが所定の値未満であることを確認するステップを含む、請求項３に記載の方法。
【請求項６】
前記複数の質感度を生成するステップは、前記複数の質感度を多次元空間内の点にマップするように多次元尺度構成法を適用するステップをさらに含み、
前記生成された複数の質感度が、本物の隠されていない生物組織である試料と一致するかどうかを判断するステップは、該点が該多次元空間の所定の領域内にあるかどうかを判断するステップを含む、請求項３に記載の方法。
【請求項７】
バイオメトリック評価のために提示される試料の真性を評価するための装置であって、
複数の異なる光学条件下で該試料を照明するための手段と、
該複数の異なる光学条件のそれぞれに対する該試料から散乱される光を受光するための手段と、
複数の画像を形成するための手段であって、それぞれの画像は、該複数の異なる光学条件のそれぞれに対する該受光された光から形成される、手段と、
複数の質感度を生成するための手段であって、それぞれの質感度は、該複数の画像のそれぞれから生成される、手段と、
該生成された複数の質感度が、本物の隠されていない生物組織である試料と一致するかどうかを判断するための手段と
を備える、装置。
【請求項８】
前記複数の質感度を生成するための前記手段は、前記複数の画像のそれぞれの空間移動窓法分析を行うための手段を含む、請求項７に記載の装置。
【請求項９】
光学コントラスト度を生成するための前記手段は、性能指数を多次元空間内の点にマップされるように多次元尺度構成を生成するための手段をさらに含み、
前記生成された複数の質感度が、本物の隠されていない生物組織である試料と一致するかどうかを判断するための前記手段は、該点が該多次元空間の所定の領域内にあるかどうかを判断するための手段を含む、請求項８に記載の装置。